(57)【要約】      （修正有）【課題】料金所ブース収受機の停電時動作保証を行う料金所ブース収受機停電時動作保証システムを提供する。【解決手段】  表示部と記録部を備える料金所ブース収受機に、停電時に停電の発生を知らせる停電警報信号およびバッテリ残量予告信号を送信する無停電電源装置（ＵＰＳ）と、集計処理記録部を備える料金所集計処理装置を接続する。これにより料金所ブース収受機は、停電発生時のそれぞれの場合に対応する指示を備えている表示部に表示する。さらに、上記停電時における料金所ブース収受機の動作状態、および、無停電電源装置（ＵＰＳ）からの受信信号の組み合せに基づき、記録部に一次保存されている勤務・収受金額データを料金所集計処理装置に向けて送信し、料金所集計処理装置内に強制保存するか否かを決定して実行する。【選択図】図１
2006293879.tif 000002
【特許請求の範囲】
【請求項１】
表示部と、ブース記録部とを備える料金所ブース収受機と、
前記料金所ブース収受機に接続されて、停電時に停電の発生を知らせる停電警報信号を、また、バッテリ残量が規定値以下の値になった時に前記バッテリ残量が低下したことを示すバッテリ残量予告信号を前記料金所ブース収受機に送信する無停電電源装置（ＵＰＳ）と、
前記料金所ブース収受機に接続されて、集計処理記録部を備える料金所集計処理装置と
を具備し、
前記料金所ブース収受機は、前記料金所ブース収受機が起動時か動作時のいずれの状態であるか、および、受信する前記停電警報信号と前記停電警報信号との組合せに基づき、前記表示部に前記いずれの状態であるか、および、前記組み合せにより決定される指示を表示し、さらに、前記いずれの状態であるか、および、前記組み合せに基づき、前記料金所集計処理装置に向けて前記ブース記録部に一次保存されている勤務・収受金額データを送信して前記勤務・収受金額データを前記料金所集計処理装置の前記集計処理記録部に強制保存するか否かを決定して実行する
料金所ブース収受機停電時動作保証システム。
【請求項２】
請求項１に記載の料金所ブース収受機停電時動作保証システムにおいて、
前記料金所ブース収受機は、前記料金所ブース収受機の起動時に前記停電警報信号と前記バッテリ残量予告信号とを同時に受信すると、前記表示部に勤務終了の指示を表示する
料金所ブース収受機停電時動作保証システム。
【請求項３】
請求項１に記載の料金所ブース収受機停電時動作保証システムにおいて、
前記料金所ブース収受機は、前記料金所ブース収受機の動作時に前記停電警報信号を受信し、前記停電警報信号の受信時から規定時間経過すると、前記表示部に勤務終了の指示を表示し、さらに、前記ブース記録部に一次保存されている勤務・収受金額データを前記料金所集計処理装置に向けて送信し、前記勤務・収受金額データを前記料金所集計処理装置の前記集計処理記録部に強制保存する
料金所ブース収受機停電時動作保証システム。
【請求項４】
請求項１に記載の料金所ブース収受機停電時動作保証システムにおいて、
前記料金所ブース収受機は、前記料金所ブース収受機の動作時に前記停電警報信号および前記バッテリ残量予告信号を同時に受信すると、現在の処理終了後、前記表示部に勤務終了の指示を表示し、さらに、前記ブース記録部に一次保存されている勤務・収受金額データを前記料金所集計処理装置に向けて送信し、前記勤務・収受金額データを前記料金所集計処理装置の前記集計処理記録部に強制保存する
料金所ブース収受機停電時動作保証システム。
【請求項５】
請求項１に記載の料金所ブース収受機停電時動作保証システムにおいて、
前記料金所ブース収受機は、前記料金所ブース収受機の起動時、または動作時に前記バッテリ残量予告信号のみを受信すると、前記表示部に通常勤務表示し、さらに、前記通常勤務終了時に、前記ブース記録部に一次保存されている勤務・収受金額データを前記料金所集計処理装置に向けて送信し、前記勤務・収受金額データを前記料金所集計処理装置の前記集計処理記録部に保存する
料金所ブース収受機停電時動作保証システム。
【請求項６】
請求項１に記載の料金所ブース収受機停電時動作保証システムにおいて、
前記料金所ブース収受機の動作時に、前記料金所ブース収受機が前記バッテリ残量予告信号および前記停電警報信号を受信せずに電断された時、または、前記バッテリ残量予告信号を受信して現在の処理終了前に電断された時、前記料金所ブース収受機は復電の後に再起動されることにより前記電断の直前の状態に復帰する
料金所ブース収受機停電時動作保証システム。
【請求項７】
請求項１から６までのいづれか一項に記載の料金所ブース収受機停電時動作保証システムの前記料金所ブース収受機および前記無停電電源装置（ＵＰＳ）を料金所に備え、前記料金所集計処理装置を料金事務所に備える
料金収受システム。
【請求項８】
表示部と、ブース記録部とを備える料金所ブース収受機と、前記料金所ブース収受機に接続されて、停電時に停電の発生を知らせる停電警報信号を、また、バッテリ残量が規定値以下の値になった時に前記バッテリ残量が低下したことを示すバッテリ残量予告信号を前記料金所ブース収受機に送信する無停電電源装置（ＵＰＳ）と、前記料金所ブース収受機に接続されて、集計処理記録部を備える料金所集計処理装置とを有する料金所ブース収受機停電時動作保証システムの前記ブース記録部に一次保存されている勤務・収受金額データの停電時保証を行う料金所ブース収受機停電時動作保証方法であって、
前記料金所ブース収受機が起動時か動作時のいずれの状態であるか、および、受信する前記停電警報信号と前記停電警報信号との組合せに基づき、前記表示部に前記いずれの状態であるか、および、前記組み合せにより決定される指示を表示する表示ステップと、
前記いずれの状態であるか、および、前記組み合せに基づき、前記料金所集計処理装置に向けて前記ブース記録部に一次保存されている勤務・収受金額データを送信して前記勤務・収受金額データを前記料金所集計処理装置の前記集計処理記録部に強制保存するか否かを決定して実行するステップとを
具備する料金所ブース収受機停電時動作保証方法。
【請求項９】
請求項８に記載の料金所ブース収受機停電時動作保証方法において、
前記料金所ブース収受機が前記料金所ブース収受機の起動時に前記停電警報信号および前記バッテリ残量予告信号を同時に受信することに基づき、
前記表示部に勤務終了の指示を表示する勤務終了指示表示ステップと、
前記ブース記録部に一次保存されている勤務・収受金額データを前記料金所集計処理装置に向けて送信し、前記勤務・収受金額データを前記料金所集計処理装置の前記集計処理記録部に強制保存する強制保存ステップ
とを具備する料金所ブース収受機停電時動作保証方法。
【請求項１０】
請求項８に記載の料金所ブース収受機停電時動作保証方法において、
前記料金所ブース収受機が前記料金所ブース収受機の起動時に前記停電警報信号を受信することに基づき、
前記停電警報信号の受信時から規定時間経過後に、前記表示部に勤務終了の指示を表示する勤務終了指示表示ステップと、
前記ブース記録部に一次保存されている勤務・収受金額データを前記料金所集計処理装置に向けて送信し、前記勤務・収受金額データを前記料金所集計処理装置の前記集計処理記録部に強制保存する強制保存ステップ
とを具備する料金所ブース収受機停電時動作保証方法。
【請求項１１】
請求項８に記載の料金所ブース収受機停電時動作保証方法において、
前記料金所ブース収受機が前記料金所ブース収受機の動作時に前記停電警報信号および前記バッテリ残量予告信号を同時に受信することに基づき、
現在の処理終了後、前記表示部に勤務終了の指示を表示する勤務終了指示表示ステップと、
前記ブース記録部に一次保存されている勤務・収受金額データを前記料金所集計処理装置に向けて送信し、前記勤務・収受金額データを前記料金所集計処理装置の前記集計処理記録部に強制保存する強制保存ステップと
を具備する料金所ブース収受機停電時動作保証方法。
【請求項１２】
請求項８に記載の料金所ブース収受機停電時動作保証方法において、
前記料金所ブース収受機が前記料金所ブース収受機の起動時、または動作時に前記バッテリ残量予告信号のみを受信することに基づき、
前記表示部に通常勤務表示する通常勤務表示ステップと、
前記通常勤務終了時に、前記ブース記録部に一次保存されている勤務・収受金額データを前記料金所集計処理装置に向けて送信し、前記勤務・収受金額データを前記料金所集計処理装置の前記集計処理記録部に保存する保存ステップと
を具備する料金所ブース収受機停電時動作保証方法。
【請求項１３】
請求項８に記載の料金所ブース収受機停電時動作保証方法において、
前記料金所ブース収受機の動作時に、前記料金所ブース収受機が前記バッテリ残量予告信号および前記停電警報信号を受信せずに電断された時、または、前記バッテリ残量予告信号を受信して現在の処理終了前に電断された時、
復電の後に前記料金所ブース収受機を再起動して前記電断の直前の状態に復帰するリセットステップを具備する料金所ブース収受機停電時動作保証方法。
【請求項１４】
請求項８から１３までの少なくとも一項に記載の料金所ブース収受機停電時動作保証方法を実現するためのコンピュータ読み込み可能な停電時動作保証プログラム。
【発明の詳細な説明】
【技術分野】
【０００１】
本発明は、料金所ブース収受機停電時動作保証システムに関し、特に料金所ブース収受機に接続される無停電電源装置と料金所集計処理装置とを有し、料金所ブース収受機の停電時動作保証を行う料金所ブース収受機停電時動作保証システムに関する。
【背景技術】
【０００２】
有料道路の料金所においてＥＴＣシステムの運用が開始されて以来、料金所に設置されている各種機器の定期点検および故障復旧に要する保守作業時間および復旧作業時間を最小限に短縮することが求められている。
【０００３】
料金所に設置されている各種機器には、従来から商用電源が使用されてきている。商用電源は非常に安定しているものの、地震や台風などの自然災害による停電、および電源系統の工事に伴なう電断など、突然の電力の供給停止時に電力供給先である機器の動作、および上記機器に保存されているデータを確実に保存して保証することは出来ない。
【０００４】
このような状況において、料金所に設置されている各種機器には、料金所に勤務する収受員の勤務データや有料道路を使用する顧客からの収受金額データが一次保存されている。このため、停電等の電断による当該データの損失を確実に防止することが求められている。
【０００５】
上記の技術分野に関連して、特開平０９−２０５７３９号公報に開示されている「タイマー付無停電電源制御装置」では、  バッテリを内蔵し、もしくはバッテリに接続されると共に電源側に接続され停電時にはシャットダウン信号をシャットダウン処理（以下、ＳＤ処理と略称する）を必要とする機器側に送出して該機器のＳＤ処理を行なわせる無障害電力供給器（以下、ＵＰＳと略称する）を用いた制御装置であって、ＳＤ処理を必要とする機器（以下、ＣＰＵ型機器と略称する）はＵＰＳとスケジュール機能を有するタイマー機構を介して電源に接続され、ＳＤ処理不要（即ち、停電時に保護を必要としない）の機器（以下、プリンタ型機器と略称する）は電源とＵＰＳの中間にスケジュール機能を有するタイマー機構を介して接続され、所謂インターネット型機器（ＬＡＮ＋ＷＡＮ）はＵＰＳに直接接続され、ＣＰＵ型機器の完全保護機能と、プリンタ型機器回路による大幅節電機能と、インターネット型機器の完全無停電機能とを同時に兼備することを特徴とするタイマー付無停電電源制御装置が提案されている。
【０００６】
また、特開平１０−１３４２１９号公報に開示されている「有料道路の料金収受システム」では、  料金所に進入する車両の車種を判別する車種判別装置と、料金所に設けられ、収受員の操作入力に基づいて料金収受処理を行なう料金処理機と、料金処理機による処理データを集計処理すると共に、車種判別装置により自動判別された車種に基づく収受演算を行なって帳票を作成する集計処理装置とを具備したことを特徴とする有料道路の料金収受システムが提案されている。
【０００７】
【特許文献１】特開平０９−２０５７３９号公報
【特許文献２】特開平１０−１３４２１９号公報
【発明の開示】
【発明が解決しようとする課題】
【０００８】
本発明の目的は、料金所ブース収受機に接続される無停電電源装置と料金所集計処理装置とを有し、料金所ブース収受機の停電時動作保証を行う料金所ブース収受機停電時動作保証システムを提供することである。
【課題を解決するための手段】
【０００９】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の料金所ブース収受機停電時動作保証システム（１）は、表示部（１１）と、ブース記録部（１４）とを備える料金所ブース収受機（１１１）と、料金所ブース収受機に接続されて、停電時に停電の発生を知らせる停電警報信号（３）を、また、バッテリ残量が規定値以下の値になった時にバッテリ残量が低下したことを示すバッテリ残量予告信号（４）を料金所ブース収受機に送信する無停電電源装置（ＵＰＳ）（２）と、料金所ブース収受機に接続されて、集計処理記録部（３３）を備える料金所集計処理装置（５０）とを備え、料金所ブース収受機は、料金所ブース収受機が起動時か動作時のいずれの状態であるか、および、受信する停電警報信号と停電警報信号との組合せに基づき、表示部にいずれの状態であるか、および、組み合せにより決定される指示を表示し、さらに、いずれの状態であるか、および、組み合せに基づき、料金所集計処理装置に向けてブース記録部に一次保存されている勤務・収受金額データ（５）を送信して勤務・収受金額データを料金所集計処理装置の集計処理記録部に強制保存するか否かを決定して実行する。
【００１１】
また、本発明の料金所ブース収受機停電時動作保証システム（１）における料金所ブース収受機（１１１）は、料金所ブース収受機の起動時に停電警報信号（３）およびバッテリ残量予告信号（４）を同時に受信すると、表示部（１１）に勤務終了の指示を表示する。
【００１２】
また、本発明の料金所ブース収受機停電時動作保証システム（１）における料金所ブース収受機（１１１）は、料金所ブース収受機の動作時に停電警報信号（３）を受信し、停電警報信号の受信時から規定時間経過すると、表示部（１１）に勤務終了の指示を表示し、さらに、ブース記録部（１４）に一次保存されている勤務・収受金額データ（５）を料金所集計処理装置（５０）に向けて送信し、勤務・収受金額データを料金所集計処理装置の集計処理記録部（３３）に強制保存する。
【００１３】
また、本願の料金所ブース収受機停電時動作保証システム（１）における料金所ブース収受機（１１１）は、料金所ブース収受機の動作時に停電警報信号（３）およびバッテリ残量予告信号（４）を同時に受信すると、現在の処理終了後、表示部（１１）に勤務終了の指示を表示し、さらに、ブース記録部（１４）に一次保存されている勤務・収受金額データ（５）を料金所集計処理装置（５０）に向けて送信し、勤務・収受金額データを料金所集計処理装置の集計処理記録部（３３）に強制保存する。
【００１４】
また、本願の料金所ブース収受機停電時動作保証システム（１）における料金所ブース収受機（１１１）は、料金所ブース収受機の起動時、または動作時にバッテリ残量予告信号（４）のみを受信すると、表示部（１１）に通常勤務表示し、さらに、通常勤務終了時に、ブース記録部（１４）に一次保存されている勤務・収受金額データ（５）を料金所集計処理装置（５０）に向けて送信し、勤務・収受金額データを料金所集計処理装置の集計処理記録部（３３）に保存する。
【００１５】
また、本願の料金所ブース収受機停電時動作保証システム（１）は、料金所ブース収受機（１１１）の動作時に、料金所ブース収受機がバッテリ残量予告信号（４）および停電警報信号（３）を受信せずに電断された時、または、バッテリ残量予告信号を受信して現在の処理終了前に電断された時、料金所ブース収受機は復電の後に再起動されることにより電断の直前の状態に復帰する。
【００１６】
また、本願の料金収受システム（１００）は、請求項１から６までのいづれか一項に記載の料金所ブース収受機停電時動作保証システム（１）の料金所ブース収受機（１１１）および無停電電源装置（ＵＰＳ）（２）を料金所（１１０）に備え、料金所集計処理装置（５０）を料金事務所（１２０）に備える。
【００１７】
また、本発明の料金所ブース収受機停電時動作保証方法は、表示部（１１）と、ブース記録部（１４）とを備える料金所ブース収受機（１１１）と、料金所ブース収受機に接続されて、停電時に停電の発生を知らせる停電警報信号（３）を、また、バッテリ残量が規定値以下の値になった時にバッテリ残量が低下したことを示すバッテリ残量予告信号（４）を料金所ブース収受機に送信する無停電電源装置（ＵＰＳ）（２）と、料金所ブース収受機に接続されて、集計処理記録部（３３）を備える料金所集計処理装置（５０）とを有する料金所ブース収受機停電時動作保証システム（１）のブース記録部に一次保存されている勤務・収受金額データ（５）の停電時保証を行う料金所ブース収受機停電時動作保証方法であって、料金所ブース収受機が起動時か動作時のいずれの状態であるか、および、受信する停電警報信号と停電警報信号との組合せに基づき、表示部にいずれの状態であるか、および、組み合せにより決定される指示を表示する表示ステップと、いずれの状態であるか、および、組み合せに基づき、料金所集計処理装置に向けてブース記録部に一次保存されている勤務・収受金額データを送信して勤務・収受金額データを料金所集計処理装置の集計処理記録部に強制保存するか否かを決定して実行するステップとを備える。
【００１８】
また、本発明の料金所ブース収受機停電時動作保証方法は、料金所ブース収受機（１１１）が料金所ブース収受機の起動時に停電警報信号（３）およびバッテリ残量予告信号（４）を同時に受信することに基づき、表示部（１１）に勤務終了の指示を表示する勤務終了指示表示ステップと、ブース記録部（１４）に一次保存されている勤務・収受金額データ（５）を料金所集計処理装置（５０）に向けて送信し、勤務・収受金額データを料金所集計処理装置の集計処理記録部（３３）に強制保存する強制保存ステップとを備える。
【００１９】
また、本発明の料金所ブース収受機停電時動作保証方法は、料金所ブース収受機（１１１）が料金所ブース収受機の起動時に停電警報信号（３）を受信することに基づき、停電警報信号の受信時から規定時間経過後に、表示部（１１）に勤務終了の指示を表示する勤務終了指示表示ステップと、ブース記録部（１４）に一次保存されている勤務・収受金額データを料金所集計処理装置（５０）に向けて送信し、勤務・収受金額データ（５）を料金所集計処理装置（５０）の集計処理記録部（３３）に強制保存する強制保存ステップとを備える。
【００２０】
また、本発明の料金所ブース収受機停電時動作保証方法は、料金所ブース収受機（１１１）が料金所ブース収受機の動作時に停電警報信号（３）およびバッテリ残量予告信号（４）を同時に受信することに基づき、現在の処理終了後、表示部（１１）に勤務終了の指示を表示する勤務終了指示表示ステップと、ブース記録部（１４）に一次保存されている勤務・収受金額データ（５）を料金所集計処理装置（５０）に向けて送信し、勤務・収受金額データを料金所集計処理装置の集計処理記録部（３３）に強制保存する強制保存ステップとを備える。
【００２１】
また、本発明の料金所ブース収受機停電時動作保証方法は、料金所ブース収受機（１１１）が料金所ブース収受機の起動時、または動作時にバッテリ残量予告信号（４）のみを受信することに基づき、表示部（１１）に通常勤務表示する通常勤務表示ステップと、通常勤務終了時に、ブース記録部（１４）に一次保存されている勤務・収受金額データ（５）を料金所集計処理装置（５０）に向けて送信し、勤務・収受金額データを料金所集計処理装置の集計処理記録部（３３）に保存する保存ステップとを備える。
【００２２】
また、本発明の料金所ブース収受機停電時動作保証方法は、料金所ブース収受機（１１１）の動作時に、料金所ブース収受機がバッテリ残量予告信号（４）および停電警報信号（３）を受信せずに電断された時、または、バッテリ残量予告信号を受信して現在の処理終了前に電断された時、演算部（１３）は、復電の後に料金所ブース収受機を再起動して電断の直前の状態に復帰するリセットステップを備える。
【００２３】
また、本発明の停電時動作保証プログラム（１５）は、請求項８から１３までの少なくとも一項に記載の料金所ブース収受機停電時動作保証方法を実現し、コンピュータ読み込み可能である。
【発明の効果】
【００２４】
本発明により、料金所ブース収受機に接続される無停電電源装置と料金所集計処理装置とを有し、料金所ブース収受機の停電時動作保証を行う料金所ブース収受機停電時動作保証システムを提供することができる。
【００２５】
これにより、地震や台風などの自然災害による商用電源から供給される電力の電断、および電源系統の工事に伴なう電断など、突然の電力の供給停止時に電力供給先である機器の動作保証、および上記機器に保存されているデータを確実に保存することができる。
【発明を実施するための最良の形態】
【００２６】
添付図面を参照して、本発明による料金所ブース収受機停電時動作保証システムを実施するための最良の形態を以下に説明する。
【００２７】
本発明の料金所ブース収受機停電時動作保証システムにおいては、表示部と記録部を備える料金所ブース収受機に、停電時に停電の発生を知らせる停電警報信号を、また、バッテリ残量が規定値以下の値になった時に前記バッテリ残量が低下したことを示すバッテリ残量予告信号を送信する無停電電源装置（ＵＰＳ）を接続する。さらに、料金所ブース収受機に、集計処理記録部を備える料金所集計処理装置を接続する。
【００２８】
これにより料金所ブース収受機は、停電時に、停電が起動時に生じたのか、あるいは動作時生じたのかにより、および、無停電電源装置（ＵＰＳ）から受信した信号が停電警報信号であるのか、停電警報信号であるのか、または両方同時に受信したのかの組合せに基づき、備えている表示部にそれぞれの場合に対応する指示を表示する。さらに、上記停電時における料金所ブース収受機の動作状態、および、無停電電源装置（ＵＰＳ）からの受信信号の組み合せに基づき、料金所集計処理装置に向けて記録部に一次保存されている勤務・収受金額データを送信して強制保存するか否かを決定して実行する。
【００２９】
（実施の形態１）料金所ブース収受機停電時動作保証システム
図１に、本発明の実施の形態１に係わる料金所ブース収受機停電時動作保証システムの概略構成を示す。本発明の料金所ブース収受機停電時動作保証システム１は、料金所１１０に備わる料金所ブース収受機１１１に、停電時に停電の発生を知らせる停電警報信号３を、また、バッテリ残量が規定値以下の値になった時にバッテリ残量が低下したことを示すバッテリ残量予告信号４を送信する無停電電源装置（ＵＰＳ）２を接続する。無停電電源装置（ＵＰＳ）２は、通常動作時には１００Ｖの商用電源に接続されている。さらに、料金所ブース収受機１１１に、料金事務所１２０に備わる料金所集計処理装置５０を接続する。そして、料金所ブース収受機１１１における一連の処理が終了する毎に、料金所ブース収受機１１１から料金所集計処理装置５０に向けて一次保存されていた勤務・収受金額データ５が送信されて料金所集計処理装置５０に上記勤務・収受金額データ５が保存される。
【００３０】
図２に示すように、料金所ブース収受機１１１は、表示部１１と、ＣＰＵ１３と、メモリ１４と、通信ボード１２とを備え、それぞれはバスライン１０で接続されている。メモリ１４には、予め停電時動作保証プログラム１５が格納されている。
【００３１】
また、図３に示すように、料金所集計処理装置５０は、ＣＰＵ３２と、メモリ３３と、通信ボード３１とを備え、それぞれはバスライン３０で接続されている。メモリ３３には、予め停電時データ保存プログラム３４が格納されている。
【００３２】
（本実施の形態における動作フロー）
以下に、本実施の形態に係わる料金所ブース収受機停電時動作保証システム１の動作原理を示す。
【００３３】
本発明の実施の形態に係わる料金所ブース収受機停電時動作保証システム１が起動すると、料金所ブース収受機１１１のＣＰＵ１３は、メモリ１４に格納されている停電時動作保証プログラム１５を読み込んで実行する。ＣＰＵ１３は、停電が料金所ブース収受機停電時動作保証システム１の起動時に生じたのか、あるいは動作時に生じたのかにより、および、料金所ブース収受機１１１が無停電電源装置（ＵＰＳ）から受信した信号が停電警報信号であるのか、停電警報信号であるのか、または両方同時に受信したのかの組合せに基づき、表示部１１に、上記動作状態と、上記受信した信号の組み合せとにより決定される指示を表示し、さらに、上記動作状態と、上記受信した信号の組み合せとに基づき、料金所集計処理装置５０に向けてメモリ１４に一次保存されている勤務・収受金額データ５を送信して勤務・収受金額データを料金所集計処理装置５０のメモリ３３に強制保存するか否かを決定して実行する。料金所ブース収受機１１１のメモリ１４に一次保存されている勤務・収受金額データ５が料金所集計処理装置５０に向けて送信されると、料金所集計処理装置５０においては、勤務・収受金額データ５の受信に基づいて、ＣＰＵ３２が、メモリ３３に格納されている停電時データ保存プログラム３４を読み込んで実行する。停電時データ保存プログラム３４が実行されると、ＣＰＵ３２は、受信した勤務・収受金額データ５をメモリ３３に強制保存する。これにより、停電時における料金所ブース収受機１１１のメモリ１４に一次保存されている勤務・収受金額データ５は、料金所集計処理装置５０のメモリ３３に確実に保存される。
【００３４】
（１）料金所ブース収受機が料金所ブース収受機の起動時（収受員の勤務開始時）に「停電警報信号」および「バッテリ残量予告信号」を同時に受信した場合、または、「停電警報信号」受信後、一定時間経過した場合の動作原理
図４に基づいて、本実施の形態に係わる料金所ブース収受機停電時動作保証システム１に備わる料金所ブース収受機１１１が、料金所ブース収受機１１１の起動時（収受員の勤務開始時）に停電警報信号３およびバッテリ残量予告信号４を同時に受信した場合、または、停電警報信号３受信後、一定時間経過した場合の動作原理について説明する。
【００３５】
この場合、料金所ブース収受機１１１を起動させるために、勤務キーが「ＯＮ」される（ステップＳ１０）。さらに、料金所ブース収受機１１１にキープレートが挿入される（ステップＳ１１）。すると、料金所ブース収受機１１１の起動に基づいて、ＣＰＵ１３は、表示部１１に「ＵＰＳバッテリー残少／キー停止せよ」と表示する（ステップＳ１２）。そして、本実施の形態における料金所ブース収受機１１１の操作はできなくなる。これにより、本実施の形態に係わる料金所ブース収受機１１１のキープレートが「ＯＦＦ」されて（ステップＳ１３）操作が終了する。
【００３６】
（２）料金所ブース収受機が料金所ブース収受機の動作時（収受員の勤務時）に「停電警報信号」を受信した場合の動作原理
図５に基づいて、本実施の形態に係わる料金所ブース収受機停電時動作保証システム１に備わる料金所ブース収受機１１１が、料金所ブース収受機の動作時（収受員の勤務時）に「停電警報信号」を受信した場合の動作原理について説明する。
【００３７】
この場合、料金所ブース収受機１１１の動作時に停電警報信号３を受信する（ステップＳ２０）。そして、停電警報信号３の受信時から規定時間経過する（ステップＳ２１）と、ＣＰＵ１３は、１件の処理先頭となった時点で、表示部１１に「ＵＰＳバッテリー残少／キー停止せよ」と表示する（ステップＳ２２）。そして、本実施の形態における料金所ブース収受機１１１の操作はできなくなる。さらに、ＣＰＵ１３は、メモリ１４に一次保存されている勤務・収受金額データ５を料金所集計処理装置５０に向けて送信する。料金所集計処理装置５０は、勤務・収受金額データ５の受信に基づいて、ＣＰＵ３２が、勤務・収受金額データ５をメモリ３３内に強制保存する（ステップＳ２３）。これにより、本実施の形態に係わる料金所ブース収受機１１１のキープレートが「ＯＦＦ」されて（ステップＳ２４）操作が終了する。
【００３８】
（３）料金所ブース収受機が料金所ブース収受機の動作時（収受員の勤務時）に「停電警報信号」と「バッテリ残量予告信号」とを同時に受信した場合の動作原理
図６に基づいて、本実施の形態に係わる料金所ブース収受機停電時動作保証システム１に備わる料金所ブース収受機１１１が、料金所ブース収受機の動作時（収受員の勤務時）に「停電警報信号」と「バッテリ残量予告信号」とを同時に受信した場合の動作原理について説明する。
【００３９】
この場合、料金所ブース収受機１１１の動作時に、停電警報信号３とバッテリ残量予告信号４とを同時に受信し、受信時から規定時間経過すると、ＣＰＵ１３は、１件の処理先頭となった時点で、表示部１１に「ＵＰＳバッテリー残少／キー停止せよ」と表示する（ステップＳ３０）。そして、本実施の形態における料金所ブース収受機１１１の操作はできなくなる。さらに、ＣＰＵ１３は、メモリ１４に一次保存されている勤務・収受金額データ５を、料金所事務所１２０に備えられている料金所集計処理装置５０に向けて送信する。料金所集計処理装置５０は、勤務・収受金額データ５の受信に基づいて、ＣＰＵ３２が、勤務・収受金額データ５をメモリ３３内に強制保存する（ステップＳ３１）。これにより、本実施の形態に係わる料金所ブース収受機１１１のキープレートが「ＯＦＦ」されて（ステップＳ３２）操作が終了する。
【００４０】
（４）料金所ブース収受機が料金所ブース収受機の起動時（収受員の勤務開始時）、または、動作時（収受員の勤務時）に「バッテリ残量予告信号」を受信した場合の動作原理
図７に基づいて、本実施の形態に係わる料金所ブース収受機停電時動作保証システム１に備わる料金所ブース収受機１１１が、料金所ブース収受機の起動時（収受員の勤務開始時）、または、動作時（収受員の勤務時）に「バッテリ残量予告信号」を受信した場合の動作原理について説明する。
【００４１】
この場合、料金所ブース収受機１１１の起動時、または、動作時に、バッテリ残量予告信号４のみを受信すると、ＣＰＵ１３は、１件の処理先頭となった時点で、表示部１１に「ＵＰＳバッテリを交換せよ」と表示する（ステップＳ４０）。
【００４２】
この時点で、料金所ブース収受機停電時動作保証システム１は通常の動作を継続することができる（ステップＳ４１）。そして、動作終了時（収受員の勤務終了時）に、料金所ブース収受機１１１のメモリ１４に一次保存されている勤務・収受金額データ５を料金所集計処理装置５０に向けて送信し、勤務・収受金額データ５を料金所集計処理装置５０のメモリ３３に保存する。これにより、本実施の形態に係わる料金所ブース収受機１１１のキープレートが「ＯＦＦ」されて（ステップＳ４２）操作が終了する。また、適宜、料金所ブース収受機１１１に接続されている無停電電源装置（ＵＰＳ）２を交換する（ステップＳ４３）。
【００４３】
（５）料金所ブース収受機の動作時（収受員の勤務時）に、「バッテリ残量予告信号」および「停電警報信号」を受信することなく電断が発生した場合、あるいは、「バッテリ残量予告信号」および「停電警報信号」を受信したが、１件の処理先頭に戻る前に電断が発生した場合の動作原理
図８に基づいて、本実施の形態に係わる料金所ブース収受機停電時動作保証システム１に備わる料金所ブース収受機１１１が、料金所ブース収受機の動作時（収受員の勤務時）に、「バッテリ残量予告信号」および「停電警報信号」を受信することなく電断が発生した場合、あるいは、「バッテリ残量予告信号」および「停電警報信号」を受信したが、１件の処理先頭に戻る前に電断が発生した場合の動作原理について説明する。
【００４４】
料金所ブース収受機１１１の動作時（収受員の勤務時）に、料金所ブース収受機１１１がバッテリ残量予告信号４および停電警報信号３を受信せずに電断された場合、あるいは、バッテリ残量予告信号４および停電警報信号３を受信したが、１件の処理先頭に戻る前に電断が発生した場合（ステップＳ５０）、料金所ブース内で行われる処理は全てマニュアル操作によって行われる（ステップＳ５１）。停電が復旧して復電すると、ＣＰＵ１３は、表示部１１に、「パワーＯＮ／クリアボタン押せ」と表示する（ステップＳ５２）。表示に基づいて、料金所ブース収受機１１１のクリアボタンが押下される（ステップＳ５３）。料金所ブース収受機１１１のクリアボタンが押下されると、ＣＰＵ１３は、表示部１１に、「しばらくお待ちください」と表示し、その後通常モードに移行する。これにより、料金所ブース収受機停電時動作保証システム１は、電断の直前の状態に復帰する。
【００４５】
図９に、上記したそれぞれの場合における動作原理の一覧を示す。図９に基づいて総括すると、料金所ブース収受機停電時動作保証システム１の起動時に停電が発生した場合においては、システムは強制的に終了されて新たなデータは発生しない。また、料金所ブース収受機停電時動作保証システム１の動作時に停電が発生した場合においては、現在処理中の案件が終了した時点で強制的にシステムが終了し、さらに、現在ブース内機器に保存されているデータは、強制的に料金事務所内に設置されている集計処理装置に強制保存される。
【００４６】
本実施の形態においては、上記される構成および動作原理により、地震や台風などの自然災害による商用電源から供給される電力の電断、および電源系統の工事に伴なう電断など、突然の電力供給停止時に、前もって操作を停止する。あるいは操作中であっても、現在一次保存しているデータを強制保存により確実に保存することができる。これにより、極めて信頼性の高い料金所ブース収受機停電時動作保証システムを実現させることができる。
【００４７】
（実施の形態２）料金収受システム
図１０に、本実施の形態に係わる料金収受システム１００の概略構成図を示す。本実施の形態の料金収受システム１００は、料金所１１０と、料金事務所１２０と、料金所１１０に面して敷設される車両進入路に備えられる信号灯１３０、車両台数計測機１４０、および踏み板１５０とを備えている。料金所１１０は、ブース収受機１１１、領収書発行機１１２、ハイウェイカード処理機１１３を備えている。料金事務所１２０は、データ入力機１２１、料金所集計処理装置５０、無停電電源装置１２３、ハイウェイカード再発行機１２４を備えている。実施の形態１に係わる料金所ブース収受機停電時動作保証システム１の料金所ブース収受機１１１および無停電電源装置（ＵＰＳ）２は、料金所１１０に備えられている。また、料金所集計処理装置５０は、料金事務所１２０に備えられている。
【００４８】
以下に、本実施の形態に係わる料金収受システム１００における動作原理について説明する。本実施の形態に係わる料金収受システム１００の料金所１１０に面して敷設される車両進入路に車両が進入してくると、車両進入路に備えられる信号灯１３０により、当該車両前方の車両の有無に基づいて車両の進入可否が制御される。そして、信号灯１３０により当該車両へ、料金所への進入が許可されると、料金所１１０において、収受員の操作入力による当該車両に対する料金収受作業が行われる。この際、料金所１１０内に設置されているブース収受機１１１、領収書発行機１１２、ハイウェイカード処理機１１３によるデータ処理が行われ、一連の処理終了後に、このデータは料金事務所５０内に設置されている料金所集計処理装置５０へと送信される。そして、料金所集計処理装置５０においては、受信した当該データに基づいて通行料の集計処理すると共に、図示せぬ車種判別装置と車両台数計測機１４０、および踏み板１５０により自動判別された車種および台数に基づく収受演算、あるいは図示せぬＥＴＣ読み取り装置から送信されてくる料金収受データに基づく収受演算が行われる。このため、本実施の形態に係わる料金収受システム１００に備わる料金所集計処理装置５０は、停電等が生じた場合においても、料金所１１０の料金所ブース収受機１１１で取得した勤務・収受金額データ５を確実に保存しなければならない。
【００４９】
本実施の形態に係わる料金収受システム１００においては、実施の形態１に示した料金所ブース収受機停電時動作保証システム１を備えている。このため、本実施の形態においては、自然災害による商用電源から供給される電力の電断、および電源系統の工事に伴なう電断など、突然の電力供給停止時に、前もって操作を停止する。あるいは操作中であっても、現在一次保存しているデータを強制保存により確実に保存することができる。この結果、極めて信頼性の高い料金収受システム１００を実現させることができる。
【図面の簡単な説明】
【００５０】
【図１】本発明の実施の形態１に係わる料金所ブース収受機停電時動作保証システムのブロック構成を示す図である。
【図２】本発明の実施の形態１に係わる料金所ブース収受機停電時動作保証システムに備わる料金所ブース収受機の概略構成を示す図である。
【図３】本発明の実施の形態１に係わる料金所ブース収受機停電時動作保証システムに備わる料金所集計処理装置の概略構成を示す図である。
【図４】本発明の実施の形態１に係わる料金所ブース収受機停電時動作保証システムのフローチャートである。
【図５】本発明の実施の形態１に係わる料金所ブース収受機停電時動作保証システムのフローチャートである。
【図６】本発明の実施の形態１に係わる料金所ブース収受機停電時動作保証システムのフローチャートである。
【図７】本発明の実施の形態１に係わる料金所ブース収受機停電時動作保証システムのフローチャートである。
【図８】本発明の実施の形態１に係わる料金所ブース収受機停電時動作保証システムのフローチャートである。
【図９】本発明の実施の形態１に係わる料金所ブース収受機停電時動作保証システムの動作フローの一覧を示す図である。
【図１０】本発明の実施の形態２に係わる料金所収受システムの概略構成を示す図である。
【符号の説明】
【００５１】
１…料金所ブース収受機停電時動作保証システム
２…無停電電源装置（ＵＰＳ）
３…停電警報信号
４…バッテリ残少予告信号
５…勤務・収受金額データ
１０…バスライン
１１…表示部
１２…通信ボード
１３…ＣＰＵ
１４…メモリ
１５…停電時動作保証プログラム
３０…バスライン
３１…通信ボード
３２…ＣＰＵ
３３…メモリ
３４…停電時データ保存プログラム
５０…料金所集計処理装置
１００…料金収受システム
１１０…料金所
１１１…料金所ブース収受機
１１２…領収書発行機
１１３…ハイウェイカード処理機
１２０…料金事務所
１２１…データ入力機
１２３…無停電電源装置
１２４…ハイウェイカード再発行機
１３０…信号灯
１４０…車両台数計測機
１５０…踏板（４接点）
【図１】
2006293879.tif 000003
【図２】
2006293879.tif 000004
【図３】
2006293879.tif 000005
【図４】
2006293879.tif 000006
【図５】
2006293879.tif 000007
【図６】
2006293879.tif 000008
【図７】
2006293879.tif 000009
【図８】
2006293879.tif 000010
【図９】
2006293879.tif 000011
【図１０】
2006293879.tif 000012